(57)【要約】  受注生産の製品の発注者は、端末装置を用いて本発明に係る受発注システムにアクセスし、発注した製品の製造の進捗情報を表示するためのユーザインタフェースを端末装置に表示させる。ユーザインタフェースには、製品の工程の順序、各工程の現在のステイタス、未完了の工程の完了予定日等が表示される。発注者がいずれかの工程に応じたマークをマウスで右クリックすると「画像」ボタンがポップアップ表示される。発注者が「画像」ボタンをマウスでクリックすると、先に右クリックで選択した工程における製品の様子を撮影した画像が表示される。発注者はユーザインタフェースに表示されるボタンやスライドバーを操作することで、希望するタイミングの製品の画像を端末装置に表示させることができる。
2018230693.tif 000002
【特許請求の範囲】
【請求項１】
外部の装置からデータを受信する受信部と、外部の装置にデータを送信する送信部と、データを記憶する記憶部と、ユーザが使用する端末装置により情報を表示し当該ユーザによるデータの入力を受け付ける画面であるユーザインタフェースを示すユーザインタフェースデータを生成する生成部とを備え、
前記受信部は発注者が使用する端末装置から製造対象の製品の仕様と数量と納期を示す発注データを受信し、
前記記憶部は前記発注データを記憶し、
前記送信部は前記発注データを受注者が使用する端末装置に送信し、
前記受信部は撮影装置から製造中又は製造完了後の前記製品の画像を示す画像データを受信し、
前記記憶部は前記受信部が受信した画像データを前記製品の製造に要する複数の工程のうち当該画像データに対応する工程に対応付けて記憶し、
前記生成部は、前記複数の工程の中から前記発注者が指定した工程に対応付けて記憶されている画像データが示す画像を表示するためのユーザインタフェースデータを生成し、
前記送信部は前記発注者が使用する端末装置に前記画像を表示するためのユーザインタフェースデータを送信する
受発注システム。
【請求項２】
前記受信部は前記受注者が使用する端末装置から前記製品の製造に要する複数の工程の各々が実行される予定の期間を示す製造スケジュールデータを受信し、
前記記憶部は前記製造スケジュールデータを記憶し、
前記生成部は前記製造スケジュールデータが示す期間を表示するためのユーザインタフェースデータを生成し、
前記送信部は前記発注者が使用する端末装置に前記期間を表示するためのユーザインタフェースデータを送信する
請求項１に記載の受発注システム。
【請求項３】
前記受信部は前記受注者が使用する端末装置から前記製品の製造に伴う見積費用を示す見積費用データを受信し、
前記送信部は前記見積費用データを前記発注者が使用する端末装置に送信する
請求項１又は２に記載の受発注システム。
【請求項４】
前記受信部は、前記発注者が使用する端末装置から前記複数の工程の中から選択された工程に関する要望を示す要望データを受信し、
前記送信部は前記要望データを前記受注者が使用する端末装置に送信し、
前記受信部は前記発注者が使用する端末装置から前記要望データが示す要望に対する返答を示す返答データを受信し、
前記送信部は前記返答データを前記発注者が使用する端末装置に送信する
請求項１乃至３のいずれか１項に記載の受発注システム。
【請求項５】
前記受注者は複数の作業担当者を含み、
前記受信部は前記受注者が使用する端末装置から前記複数の工程の各々の作業担当者を識別する作業担当者識別データを受信し、
前記記憶部は前記作業担当者識別データを記憶し、
前記送信部は前記返答データを、前記複数の作業担当者のうち前記作業担当者識別データにより識別される前記要望の対象の工程の作業担当者が使用する端末装置に送信する
請求項４に記載の受発注システム。
【請求項６】
コンピュータを、請求項１乃至５のいずれか１項に記載の受発注システムが備える前記受信部、前記送信部、前記記憶部、及び、前記生成部として機能させるためのプログラム。
【発明の詳細な説明】
【技術分野】
【０００１】
本発明は、製品の受発注を支援する技術に関する。
【背景技術】
【０００２】
作業の様子を撮影した画像を記憶しておき、必要に応じて画像を読み出して表示させることにより、過去に行われた作業の様子を確認できるようにした仕組みが提案されている。例えば、本願の出願人による出願に係る特許文献１に記載の仕組みにおいては、作業場毎に設けられた撮影装置が撮影した画像が蓄積され、表示装置に表示される複数の進捗表示欄のなかからユーザによりいずれかの進捗表示欄が特定されると、当該特定された進捗表示欄に応じた画像が表示装置に表示される。
【先行技術文献】
【特許文献】
【０００３】
【特許文献１】特許第５４１６３２２号明細書
【発明の概要】
【発明が解決しようとする課題】
【０００４】
製品の受注生産を行う受注者に製品を発注した発注者は、一般的に、完成した製品が手元に届くまで、その製品が要望どおりに製造されているか否かを確認する手段がない。従って、要望と異なる製品が手元に届く等の不都合が生じる場合がある。【０００５】
本発明の目的は、受注生産を行う受注者に製品を発注した発注者が、要望どおりに製品が製造されているか否かを容易に確認することを可能とする手段を提供することである。
【課題を解決するための手段】
【０００６】
本発明は、外部の装置からデータを受信する受信部と、外部の装置にデータを送信する送信部と、データを記憶する記憶部と、ユーザが使用する端末装置により情報を表示し当該ユーザによるデータの入力を受け付ける画面であるユーザインタフェースを示すユーザインタフェースデータを生成する生成部とを備え、前記受信部は発注者が使用する端末装置から製造対象の製品の仕様と数量と納期を示す発注データを受信し、前記記憶部は前記発注データを記憶し、前記送信部は前記発注データを受注者が使用する端末装置に送信し、前記受信部は撮影装置から製造中又は製造完了後の前記製品の画像を示す画像データを受信し、前記記憶部は前記受信部が受信した画像データを前記製品の製造に要する複数の工程のうち当該画像データに対応する工程に対応付けて記憶し、前記生成部は、前記複数の工程の中から前記発注者が指定した工程に対応付けて記憶されている画像データが示す画像を表示するためのユーザインタフェースデータを生成し、前記送信部は前記発注者が使用する端末装置に前記画像を表示するためのユーザインタフェースデータを送信する受発注システムを提供する。【０００７】
上記の受発注システムによれば、受注製造を行う受注者に製品を発注した発注者は、要望どおりに製品が製造されているか否かを容易に確認することができる。【０００８】
上述した受発注システムにおいて、前記受信部は前記受注者が使用する端末装置から前記製品の製造に要する複数の工程の各々が実行される予定の期間を示す製造スケジュールデータを受信し、前記記憶部は前記製造スケジュールデータを記憶し、前記生成部は前記製造スケジュールデータが示す期間を表示するためのユーザインタフェースデータを生成し、前記送信部は前記発注者が使用する端末装置に前記期間を表示するためのユーザインタフェースデータを送信してもよい。【０００９】
上記の受発注システムによれば、発注者は発注した製品の製造スケジュールを容易に確認することができる。【００１０】
上述した受発注システムにおいて、前記受信部は前記受注者が使用する端末装置から前記製品の製造に伴う見積費用を示す見積費用データを受信し、前記送信部は前記見積費用データを前記発注者が使用する端末装置に送信してもよい。【００１１】
上記の受発注システムによれば、受注者は製品の製造に要する費用の見積額を容易に発注者に提示でき、発注者は受注者が提示する見積費用を考慮して発注を行うか否かを判断することができる。【００１２】
上述した受発注システムにおいて、前記受信部は、前記発注者が使用する端末装置から前記複数の工程の中から選択された工程に関する要望を示す要望データを受信し、前記送信部は前記要望データを前記受注者が使用する端末装置に送信し、前記受信部は前記発注者が使用する端末装置から前記要望データが示す要望に対する返答を示す返答データを受信し、前記送信部は前記返答データを前記発注者が使用する端末装置に送信してもよい。【００１３】
上記の受発注システムによれば、発注者は受注者に対し、製品の製造に要する複数の工程のいずれかに関する要望を容易に行うことができ、受注者は発注者から受けた要望に容易に返答することができる。従って、受発注システムを用いた受発注において、発注者の要望が工程の作業担当者に伝わりにくい、という問題が軽減される。【００１４】
上述した受発注システムにおいて、前記受注者は複数の作業担当者を含み、前記受信部は前記受注者が使用する端末装置から前記複数の工程の各々の作業担当者を識別する作業担当者識別データを受信し、前記記憶部は前記作業担当者識別データを記憶し、前記送信部は前記返答データを、前記複数の作業担当者のうち前記作業担当者識別データにより識別される前記要望の対象の工程の作業担当者が使用する端末装置に送信してもよい。【００１５】
上記の受発注システムによれば、発注者は受注者のうち要望の対象の工程を担当する作業担当者に直接要望を伝えることができる。【００１６】
また、本発明は、コンピュータを、上述した受発注システムが備える前記受信部、前記送信部、前記記憶部、及び、前記生成部として機能させるためのプログラムを提供する。【００１７】
上記のプログラムによれば、コンピュータにより上述した受発注システムが実現される。
【発明の効果】
【００１８】
本発明によれば、受注生産を行う受注者に製品を発注した発注者は、要望どおりに製品が製造されているか否かを容易に確認することができる。
【図面の簡単な説明】
【００１９】
【図１】一実施形態に係る受発注システム及び当該受発注システムとデータ通信を行う装置を示した図。
【図２】一実施形態に係る受発注システムの実現のために用いられるコンピュータの構成を示した図。
【図３】一実施形態に係る受発注システムの構成を示した図。
【図４】一実施形態に係る受発注システムに記憶されるデータの構成を例示した図。
【図５Ａ】一実施形態に係る受発注システムに記憶されるデータの構成を例示した図。
【図５Ｂ】一実施形態に係る受発注システムに記憶されるデータの構成を例示した図。
【図６】一実施形態に係る受発注システムに記憶されるデータの構成を例示した図。
【図７】一実施形態に係る受発注システム及び当該受発注システムとデータ通信を行う装置が行う処理のシーケンスを示した図。
【図８】一実施形態に係る受発注システムにアクセスした端末装置に表示されるユーザインタフェースを示した図。
【図９】一実施形態に係る受発注システム及び当該受発注システムとデータ通信を行う装置が行う処理のシーケンスを示した図。
【図１０】一実施形態に係る受発注システムにアクセスした端末装置に表示されるユーザインタフェースを示した図。
【図１１】一実施形態に係る受発注システムにアクセスした端末装置に表示されるユーザインタフェースを示した図。
【図１２】一実施形態に係る受発注システム及び当該受発注システムとデータ通信を行う装置が行う処理のシーケンスを示した図。
【図１３】一実施形態に係る受発注システムにアクセスした端末装置に表示されるユーザインタフェースを示した図。
【発明を実施するための形態】
【００２０】
以下に本発明の一実施形態に係る受発注システム１を説明する。図１は、受発注システム１と、受発注システム１とデータ通信を行う装置を示した図である。図１の例では、受発注システム１はサーバ装置により構成されるが、受発注システム１が互いに連携して動作する複数の装置により構成されてもよい。
【００２１】
受発注システム１とデータ通信を行う装置には、発注者が使用する端末装置２と、受注者が使用する端末装置３及び端末装置４と、製品が製造される状況を撮影する撮影装置５が含まれる。端末装置３は、受注者が発注者に対し製品の製造に伴う費用の見積額や、発注者からの要望に対する返答等を入力するために使用する端末装置である。端末装置４は、撮影装置を内蔵する携帯端末であり、製品の製造に要する複数の工程の各々の着手時及び完了時に製品を撮影するために受注者が使用する端末装置である。
【００２２】
本願において、発注者及び受注者の各々は、１人の人物に限られず、例えば法人に属する複数の人物であってもよい。また、発注者は端末装置２として常に同じ装置を使用する必要はない。同様に、受注者は端末装置３及び端末装置４として常に同じ装置を使用する必要はない。
【００２３】
撮影装置５は、受注者が製品を製造する空間内に配置され、当該空間の画像を撮影するネットワークカメラである。撮影装置５の数は１つに限れない。本実施形態において、撮影装置５は、製品の製造作業が行われているか否かにかかわらず、常時、所定時間（例えば１分）の経過毎に静止画の撮影を行う。撮影装置５は撮影した画像を示す画像データを受発注システム１に送信する。なお、画像データには撮影時刻を示すデータが伴っている。受発注システム１は撮影装置５から受信した画像データを記憶する。
【００２４】
本実施形態において、受発注システム１はコンピュータのプロセッサがプログラムに従ったデータ処理を行うことにより実現される。すなわち、受発注システム１のハードウェアはコンピュータである。図２は、受発注システム１の実現のために用いられるコンピュータ１０の構成を示した図である。コンピュータ１０は各種データ処理を行うプロセッサ１０１、各種データを記憶するメモリ１０２、外部の装置との間で各種データの送受信を行う通信インタフェース１０３を備える。
【００２５】
プロセッサ１０１がメモリ１０２に記憶されている本実施形態に係るプログラムに従うデータ処理を行うと、図３に示す構成を備える受発注システム１が実現される。すなわち、本実施形態に係るプログラムは、コンピュータ１０を、外部の装置からデータを受信する受信部１１と、外部の装置にデータを送信する送信部１２と、データを記憶する記憶部１３と、ユーザインタフェースを示すユーザインタフェースデータを生成する生成部１４を備える。ユーザインタフェースは、端末装置２により情報を表示し発注者によるデータの入力を受け付ける画面、もしくは、端末装置３又は端末装置４により情報を表示し受注者によるデータの入力を受け付ける画面を意味する。
【００２６】
受信部１１及び送信部１２はプロセッサ１０１の制御下で動作する通信インタフェース１０３により実現される。記憶部１３はプロセッサ１０１の制御下で動作するメモリ１０２により実現される。生成部１４はプロセッサ１０１により実現される。
【００２７】
記憶部１３には、発注者に関するデータ（以下、「発注者データ」という）を格納する発注者テーブル、注文に関するデータ（以下、「注文データ」という）を格納する注文テーブル、発注者から受注者に対する要望とその要望に対する受注者からの返答に関するデータ（以下、「交信データ」という）を格納する交信テーブルが記憶されている。
【００２８】
図４は発注者テーブルのデータ構成を例示した図である。図４に例示の発注者テーブルは、複数の発注者の各々に関し、発注者を識別する発注者名、発注者の本人確認を行うためのパスワード（以下、「発注者パスワード」という）、発注者のメールアドレス、発注者が費用見積の依頼又は発注を行った製品を識別する注文番号を格納する。なお、１つの発注者名に対応付けられる注文番号は１つに限られない。
【００２９】
図５Ａ及び図５Ｂは注文テーブルのデータ構成を例示した図である。図５Ｂは、図５Ａに示される工程番号１欄、工程番号２欄、等に格納されるデータの構成の詳細を示した図である。
【００３０】
図５に例示の注文テーブルは、注文番号、発注者名等の注文情報、受注者のうち見積等を担当する管理担当者の氏名、管理担当者のメールアドレス、製品の製造に要する複数の工程の各々に関する情報を格納する。
【００３１】
複数の工程の各々に関する情報には、当該工程の作業内容、受注者のうち作業を担当する作業担当者の氏名、作業担当者のメールアドレス、着手予定日、完了予定日、着手日、完了日、ステイタス、作業が行われた期間が含まれる。
【００３２】
図６は交信テーブルのデータ構成を例示した図である。図６に例示の交信テーブルは、注文番号、要望を識別する要望ＩＤ(Identifier)、工程を識別する工程番号、要望が行われた時刻（以下、「要望時刻」という）、要望の内容、要望に対する返答が行われた時刻（以下、「返答時刻」という）、返答の内容を格納する。
【００３３】
以下に、受発注システム１の動作を説明する。図７は、製品の製造が受発注される段階で受発注システム１、端末装置２及び端末装置３が行う処理のシーケンスを示した図である。なお、図７及び後述の図９、図１２に示されるシーケンスにおいて、端末装置２、端末装置３及び端末装置４が受発注システム１にアクセスするために通常行われるログインの処理、受発注システム１が発注者又は受注者に提示するユーザインタフェースを示すユーザインタフェースデータを生成し送信する処理、受発注システム１が注文テーブル（図５）、交信テーブル（図６）等のテーブルを更新する処理は省略されている。
【００３４】
まず、発注者は端末装置２を用いて受発注システム１にアクセスし、費用見積依頼を行う（ステップＳ１０１）。
【００３５】
図８は、ステップＳ１０１において端末装置２に表示されるユーザインタフェースを示した図である。発注者は図８に示されるインタフェースにおいて、受注者に対し製造の依頼を検討している製品に関し、製品名、数量、納期を入力する。
【００３６】
また、発注者は、製品の仕様等を示す図面のファイル名を入力する。このファイル名の入力に応じて、ユーザインタフェース内の領域Ａ０１には、発注者により入力されたファイル名の画像が表示される。その後、発注者は「送信」ボタンを例えばマウスでクリックする。その操作に応じて、発注者により入力された製品の製品名、数量、納期、製品の仕様等を示す図面を含む費用見積依頼データが端末装置２から受発注システム１に送信される。受発注システム１は端末装置２から受信した費用見積依頼データに基づき、注文テーブル（図５）を更新する。なお、注文データに格納された費用見積依頼データは、後に発注が行われた場合、発注の内容を示す発注データとして用いられる。
【００３７】
続いて、受発注システム１は端末装置３に費用見積の依頼があったことを通知する（ステップＳ１０２）。この通知は、例えば、発注者の管理担当者のメールアドレス宛に電子メールで送信される。
【００３８】
費用見積の依頼の通知を受けた管理担当者は、費用見積を行う。また、管理担当者は、発注者が希望している納期を守れない場合、実現可能な新たな納期を特定する。管理担当者は、端末装置３を用いて受発注システム１にアクセスし、費用の見積額と納期の提示を行う（ステップＳ１０３）。その際、端末装置３から受発注システム１に送信されるデータは、見積費用示す見積費用データの役割を果たす。受発注システム１は端末装置３から受信した情報に基づき、注文テーブル（図５）を更新する。
【００３９】
続いて、受発注システム１は端末装置３から提示された費用の見積額及び納期を端末装置２に通知する（ステップＳ１０４）。この通知は、例えば、発注者のメールアドレス宛に電子メールで送信される。
【００４０】
費用の見積額及び納期の提示を受けた発注者は製品の発注を行うか否かを決定した後、発注を行う場合、端末装置２を用いて受発注システム１にアクセスし、発注を行う（ステップＳ１０５）。受発注システム１は端末装置２から受信した情報に基づき、注文テーブル（図５）を更新する。
【００４１】
発注が行われた場合、受発注システム１は端末装置３に発注が行われたことを通知する（ステップＳ１０６）。この通知は、例えば、発注者の管理担当者のメールアドレス宛に電子メールで送信される。
【００４２】
受注者は、発注の通知を受けると、受注した製品に関し、製造に要する複数の工程を特定し、特定したそれらの工程の各々を実行する予定の期間（例えば、着手予定日と完了予定日）と、それらの工程の各々を実行する作業担当者を決定する。受注者は端末装置３を用いて受発注システム１にアクセスし、決定したそれらのデータを入力する。受注者により入力されたデータ（各工程が実行される予定の期間を示す製造スケジュールデータと、各工程の作業担当者を識別する作業担当者識別データを含む）は端末装置３から受発注システム１に送信される。受発注システム１は、端末装置３から受信したデータを注文テーブル（図５）に格納する。
【００４３】
受注者の作業担当者は、受注した製品の製造の作業を開始する際、端末装置３を用いて受発注システム１にアクセスし、の作業の開始を通知する。この通知には、作業を行う工程の工程番号と、新たな工程の作業を開始（すなわち、着手）であるか、仕掛かり中の工程の作業の再開であるかを区別するデータが含まれる。受発注システム１は端末装置３から受信した情報に基づき、注文テーブル（図５）を更新する。
【００４４】
また、作業担当者は、作業を終了する際、端末装置３を用いて受発注システム１にアクセスし、作業の終了を通知する。この通知には、作業を終了する工程の工程番号と、工程の作業が全て終了（すなわち完了）したか、工程の作業が未完了で中断されるかを区別するデータが含まれる。受発注システム１は端末装置３から受信した情報に基づき、注文テーブル（図５）を更新する。
【００４５】
また、作業担当者は、新たな工程の作業に着手する際と工程の全ての作業を完了した際、端末装置４を用いて受発注システム１にアクセスした後、端末装置４で製品を撮影する。端末装置４は撮影した画像を示す画像データを受発注システム１に送信する。受発注システム１は端末装置４から受信した画像データを記憶する。
【００４６】
発注者は、発注した製品が製造されている間、端末装置２を用いて受発注システム１にアクセスし、製造の進捗を確認するとともに、製品が製造される様子を画像で確認することができる。
【００４７】
図９は、発注者が、製品が製造される様子を画像で確認する際に、受発注システム１及び端末装置２が行う処理のシーケンスを示した図である。発注者は、端末装置２を用いて受発注システム１にアクセスし、発注した製品の製造の進捗情報を表示するユーザインタフェースの送信を要求する（ステップＳ３０１）。
【００４８】
この要求に応じて、受発注システム１は進捗情報表示用のユーザインタフェースデータを生成し、端末装置２に送信する（ステップＳ３０２）。その結果、端末装置２には図１０に示されるユーザインタフェース（以下、「進捗確認インタフェース」という）が表示される（ステップＳ３０３）。進捗確認インタフェースには、製品の工程の順序、各工程の現在のステイタス、未完了の工程の完了予定日等が表示される。
【００４９】
発注者が進捗確認インタフェースに表示されるいずれかの工程に応じたマークを例えばマウスで右クリックすると、図１１に示されるように、「画像」ボタンと「要望」ボタンがポップアップ表示される。発注者が「画像」ボタンを例えばマウスでクリックすると、端末装置２から受発注システム１に画像の要求が行われる（図９、ステップＳ３０４）。
【００５０】
受発注システム１は端末装置２からの要求に応じて注文テーブル（図５）を参照し、要求において指定された工程の作業期間を特定し、特定した作業期間中に撮影された画像を示す画像データを抽出する（ステップＳ３０５）。続いて、受発注システム１は、抽出した画像データを端末装置２に送信する（ステップＳ３０６）。端末装置２は受発注システム１から送信された画像データが示す画像を進捗確認インタフェースの領域Ａ０２（図１１）に表示する（ステップＳ３０７）。その結果、発注者は先に右クリックで選択した工程における製品の様子を画像で確認することができる。なお、発注者は、領域Ａ０２に表示される各種ボタンを例えばマウスでクリックしたり、領域Ａ０２に表示されるスライドバーを例えばマウスでドラッグすることで、希望するタイミングの画像を端末装置２に表示させることができる。
【００５１】
また、発注者は、いずれかの工程に関する要望がある場合、進捗確認インタフェースにおいて受注者との間で交信を行うことができる。
【００５２】
図１２は、発注者が受注者との間で交信を行う際に、受発注システム１、端末装置２及び端末装置３が行う処理のシーケンスを示した図である。図１２のステップＳ３０１〜Ｓ３０３は、図９のステップＳ３０１〜Ｓ３０３と同じ処理である。
【００５３】
発注者が進捗確認インタフェースに表示されるいずれかの工程に応じたマークを例えばマウスで右クリックすると、既述のとおり、「画像」ボタンと「要望」ボタンがポップアップ表示される（図１１）。発注者が「要望」ボタンを例えばマウスでクリックすると、図１３に示されるように、チャット欄がポップアンプ表示される。発注者がチャット欄に、先に右クリックで選択した工程に関する要望を入力し「送信」ボタンを例えばマウスでクリックすると、入力された要望を示す要望データが端末装置２から受発注システム１に送信される（ステップＳ４０４）。受発注システム１は端末装置２から受信した情報に基づき、交信テーブル（図６）を更新する。
【００５４】
受発注システム１は端末装置３に端末装置２から受けた要望を通知する（ステップＳ４０５）。この通知は、例えば、要望の対象の工程の作業担当者のメールアドレス宛に電子メールで送信される。作業担当者は端末装置３を用いて受発注システム１にアクセスし、要望に対する返答を入力する。端末装置３に入力された返答を示す返答データは端末装置３から受発注システム１に送信される（ステップＳ４０６）。受発注システム１は端末装置３から受信した情報に基づき、交信テーブル（図６）を更新する。
【００５５】
受発注システム１は端末装置２に端末装置３から受けた返答を通知する（ステップＳ４０７）。この通知は、例えば、発注者のメールアドレス宛に電子メールで送信される。また、端末装置２に通知される返答は、例えば進捗確認インタフェースにおいてポップアップ表示されるチャット欄において、対応する要望の下に表示される（ステップＳ４０８）。
【００５６】
上述した受発注システム１によれば、発注者は、発注した製品の製造の進捗を知ることができる。また、発注者は、発注した製品が製造される様子を画像で確認することができる。また、発注者は、発注した製品の製造に関し、特定の工程に関する交信を行うことができる。
【００５７】
［変形例］
上述した実施形態は様々に変形されてよい。以下にそれらの変形の例を示す。なお、以下の変形例の２以上が組み合わされてもよい。
【００５８】
（１）上述した実施形態において、受発注システム１が自装置にアクセスしてきた端末装置２又は端末装置３に直接送信するものとしたデータが、電子メールの形式で送信され、電子メールを保管するサーバ装置経由で端末装置２又は端末装置３に送信されてもよい。
【００５９】
（２）上述した実施形態において、端末装置２又は端末装置３が受発注システム１にアクセスし受発注システム１に直接送信するものとしたデータが、電子メールの形式で送信され、電子メールを保管するサーバ装置経由で受発注システム１に送信されてもよい。
【００６０】
（３）端末装置２又は端末装置３が常駐型のアプリケーションプログラムを実行し、常時、受発注システム１にアクセスしている状態を維持していてもよい。この場合、端末装置２又は端末装置３は受発注システム１からデータが送信されてきた場合、音等で発注者又は受注者にデータの受信を通知してもよい。
【００６１】
（４）上述した実施形態において、撮影装置５及び端末装置４が有する撮影装置は静止画を撮影するものとしたが、これらの撮影装置が撮影する画像は静止画に限られず、動画であってもよい。また、撮影装置５が動画を撮影する場合、撮影装置５は常時、動画を撮影しなくてもよい。例えば、撮影装置５が所定時間（例えば１０分）の経過毎に所定時間（例えば３０秒）の動画を撮影してもよい。
【００６２】
（５）画像の撮影は、撮影装置５及び端末装置４の両方により行われなくてもよい。撮影装置５のみによって画像の撮影が行われ、端末装置４による画像の撮影が行われなくてもよい。また、端末装置４のみによって画像の撮影が行われ、撮影装置５による画像の撮影が行われなくてもよい。
【００６３】
（６）上述した実施形態において、工程の着手及び完了の際、受注者が端末装置３を用いてその旨の入力を行うものとした。これに代えて、端末装置４から受発注システム１に工程の開始時の画像データが送信された場合に受発注システム１が自動的に工程の着手時刻を注文テーブルに格納し、端末装置４から受発注システム１に工程の完了時の画像データが送信された場合に受発注システム１が自動的に工程の完了時刻を注文テーブルに格納してもよい。
【００６４】
（７）進捗確認インタフェースにおいて、発注者が閲覧できる画像が制限されてもよい。例えば、受発注システム１に記憶されている画像のうち、所定時間（例えば３０分）の経過毎のタイミングで撮影された画像が抽出され、抽出されたそれらの画像のみを発注者が閲覧可能としてもよい。
【００６５】
（８）上述した実施形態では、工程が実行された期間と画像の撮影時刻によって、工程と画像の対応付けが行われるものとした。工程と画像の対応付けの方法はこれに限られない。例えば、受発注システム１が撮影装置５から画像データを受信した時点で作業中の工程があれば、その工程に受信した画像データのファイル名を対応付けて注文テーブルに格納してもよい。
【００６６】
（９）製品の仕様を示すデータは製品の図面を示すデータに限られない。例えば、製造対象の製品が、仕様が定まっている規格品の場合、規格番号を示すデータが仕様を示すデータとして用いられてもよい。
【００６７】
（１０）上述した実施形態では、進捗確認インタフェース（図１０）において、未完了の工程に関する情報が表示されるものとした。進捗確認インタフェースにおいて、未完了の工程の情報に関しては表示されなくてもよい。
【００６８】
（１１）受発注システム１が複数の発注者と複数の受注者の間における製品の製造の受発注を管理してもよい。この場合、発注者は複数の受注者の候補の中から希望する受注者を選択し製品の製造を発注することができる。
【００６９】
（１２）受発注システム１が、プログラムに従いデータ処理を行うコンピュータに代えて、専用装置により実現されてもよい。
【符号の説明】
【００７０】
１…受発注システム、２…端末装置、３…端末装置、４…端末装置、５…撮影装置、１０…コンピュータ、１１…受信部、１２…送信部、１３…記憶部、１４…生成部、１０１…プロセッサ、１０２…メモリ、１０３…通信インタフェース。
【図１】
2018230693.tif 000003
【図２】
2018230693.tif 000004
【図３】
2018230693.tif 000005
【図４】
2018230693.tif 000006
【図５Ａ】
2018230693.tif 000007
【図５Ｂ】
2018230693.tif 000008
【図６】
2018230693.tif 000009
【図７】
2018230693.tif 000010
【図８】
2018230693.tif 000011
【図９】
2018230693.tif 000012
【図１０】
2018230693.tif 000013
【図１１】
2018230693.tif 000014
【図１２】
2018230693.tif 000015
【図１３】
2018230693.tif 000016
【国際調査報告】
2018230693.tif 000017
2018230693.tif 000018
2018230693.tif 000019
2018230693.tif 000020